(57)【要約】【課題】装置の一部に電力を供給することで装置全体の消費電力を削減する低消費モードにおいて、装置全体に電力を供給する電源を停止し、装置の一部に限り電力を供給可能な電源を動作させ、その装置の一部に電力を供給することで、さらに装置全体の消費電力を低減することができる画像形成装置を提供すること。【解決手段】動作モード中に、ユーザにより低消費モード移行キー２７ａが押下されると、ＣＰＵ２１から順番に切替信号Ｉ〜Ｖが出力される。ＣＰＵ２１から出力される切替信号Ｉ〜Ｖに応じて、各スイッチＳＷ１〜１６、その他の機能部２３がそれぞれ個別に制御され、その結果、ＣＰＵ２１と常に動作させる機能部２２とのみに、それらが動作するために必要な電力のみが供給される。【選択図】図１１
2008271519.tif 000002
【特許請求の範囲】
【請求項１】
複数の機能部が搭載された基板と、
前記機能部に供給するための第１電圧を前記基板に出力する第１電源回路と、
その第１電源回路が出力する第１電圧よりも低い電圧である第２電圧を前記基板に出力する第２電源回路と、
前記第１電源回路と第２電源回路とを動作させるか否かを個別に切り替える電源切替手段と、
前記基板に搭載されると共に前記第１電源回路から入力される第１電圧を前記基板に搭載された機能部の各々が動作するために必要な電圧に変圧して、その各々の機能部に供給する第３電源回路と、
前記基板に搭載された複数の機能部を動作させる動作モードと、その複数の機能部のうち一部を動作させる低消費モードとを切り替えるモード切替手段と、
前記モード切替手段により動作モードが選択された場合は、前記電源切替手段を切り替えて第１電源回路を動作させ、その第１電源回路から出力される第１電圧を前記第３電源回路に入力すると共に、その第３電源回路を介して変圧された電圧を前記動作モードで動作する機能部に供給し、一方、低消費モードが選択された場合は、前記電源切替手段を切り替えて第２電源回路を動作させると共に第１電源回路の動作を停止させ、且つ、前記第２電源回路から出力される第２電圧を前記第３電源回路を介さずに前記低消費モードで動作する機能部に供給する制御手段とを備えていることを特徴とする画像形成装置。
【請求項２】
前記制御手段は、前記モード切替手段により低消費モードが選択された場合に、前記第２電源回路を動作させて、その第２電源回路から出力される第２電圧を前記低消費モードで動作する機能部に供給してから、前記第１電源回路の動作を停止することを特徴とする請求項１記載の画像形成装置。
【請求項３】
前記制御手段は、前記モード切替手段により動作モードが選択された場合に、前記第１電源回路を動作させて、その第１電源回路から出力される第１電圧を前記第３電源回路に入力し、その第３電源回路を介して変圧された電圧を前記動作モードで動作する機能部に供給してから、前記第２電源回路の動作を停止することを特徴とする請求項１又は２に記載の画像形成装置。
【請求項４】
前記第３電源回路は前記第１電源回路から出力される第１電圧を変圧して前記第２電圧と同一か略等しい電圧を出力し、その電圧を前記低消費モードで動作する機能部に供給するものであり、
前記第１電源回路から出力される第１電圧を前記第３電源回路に入力するか否かを切り替える第１スイッチと、
前記第３電源回路から出力される電圧を前記低消費モードで動作する機能部に供給するか否かを切り替える第２スイッチとを備え、
前記制御手段は、前記モード切替手段により低消費モードが選択された場合に、前記第２スイッチを切り替えて第３電源回路から出力され前記低消費モードで動作させる機能部に供給される電圧を遮断してから、前記第１スイッチを切り替えて第３電源回路に入力される第１電圧を遮断することを特徴とする請求項１から３のいずれかに記載の画像形成装置。
【請求項５】
前記第３電源回路は前記第１電源回路から出力される第１電圧を変圧して前記第２電圧と同一か略等しい電圧を出力し、その電圧を前記低消費モードで動作する機能部に供給するものであり、
前記第１電源回路から出力される第１電圧を前記第３電源回路に入力するか否かを切り替える第１スイッチと、
前記第３電源回路から出力される電圧を前記低消費モードで動作する機能部に供給するか否かを切り替える第２スイッチとを備え、
前記制御手段は、前記モード切替手段により動作モードが選択された場合に、前記第１スイッチを切り替えて第３電源回路に前記第１電源回路から出力される第１電圧を入力してから、前記第２スイッチを切り替えて第３電源回路から出力される電圧を前記低消費モードで動作させる機能部に供給することを特徴とする請求項１から４のいずれかに記載の画像形成装置。
【請求項６】
前記第１電源回路と第２電源回路とは前記基板の外部に設けられており、
前記第１電源回路から出力される第１電圧を前記基板に供給するための第１接続手段と、
前記第１電源回路から出力される第１電圧または前記第２電源回路から出力される第２電圧のいずれかを前記基板に供給するための第２接続手段と、
前記第１接続手段および第２接続手段により前記基板に前記第１電源回路から出力される第１電圧を供給するか又は前記第２接続手段により前記第２電源回路から出力される第２電圧を供給するかを選択する第３スイッチと、
前記第２接続手段により供給される電圧を、前記低消費モードで動作させる機能部に供給するか又は動作モードで動作させる機能部に供給するかを選択する第４スイッチとを備え、
前記制御手段は、前記モード選択手段により動作モードが選択された場合に、前記第１接続手段により前記第１電源回路から出力される第１電圧を前記基板に供給し、前記第３電源回路から出力される電圧を前記低消費モードで動作させる機能部に供給してから第２電源回路の動作を停止し、その後、前記第４スイッチを切り替えて第２接続手段により供給される電圧を前記動作モードで動作する機能部に供給してから、前記第３スイッチを切り替えて前記第１接続手段および第２接続手段により第１電源回路から出力される第１電圧を前記基板に供給することを特徴とする請求項１から５のいずれかに記載の画像形成装置。
【発明の詳細な説明】
【技術分野】
【０００１】
本発明は、画像形成装置に関し、特に、低消費モードで動作させる必要のある機能部を動作させつつ、動作モードで動作する機能部に電力を供給する電源回路の消費電力を極力小さくして、低消費モードにおける消費電力を低減することができる画像形成装置に関するものである。
【背景技術】
【０００２】
従来より、複数の機能を備えた画像形成装置が知られている。特許文献１に記載されている画像形成装置では、装置が有する複数の機能を利用可能な通常電力モードと、機能が利用されない場合に各機能を停止させて消費電力を低減する低消費電力モードとが設けられている。通常電力モードでは、装置全体にメイン電源から電力が供給され、低消費電力モードでは、通常電力モードへ復帰するための外部トリガである回線呼び出しやオペレーション等を検出する検出回路にのみ、メイン電源から電力が供給される。低消費電力モードが選択されると、装置全体に供給されていた電力は、検出回路にのみ供給されることになるので、装置での消費電力が低減される。
【特許文献１】特開平１１−１７７７３１号公報（第００６６段落など）
【発明の開示】
【発明が解決しようとする課題】
【０００３】
しかしながら、特許文献１の画像形成装置では、低消費電力モードであっても、通常電力モードであっても、いずれの場合にも電力はメイン電源から供給される。メイン電源では、装置全体を動作させるために大きな電力を生成する必要があり、それ故に、メイン電源自体でも電力が消費される。低消費電力モードが選択された場合には、検出回路だけが動作し、他の回路は停止されるが、検出回路への電力供給はメイン電源によって行われるので、メイン電源での消費電力は変わらない。よって、低消費電力モードであっても、消費電力を十分に低減できないという問題点があった。
【０００４】
本発明は、上述した問題点を解決するためになされたものであり、低消費モードで動作させる必要のある機能部を動作させつつ、動作モードで動作する機能部に電力を供給する電源回路の消費電力を極力小さくして、低消費モードにおける消費電力を低減することができる画像形成装置を提供することを目的とする。
【課題を解決するための手段】
【０００５】
この目的を達成するために、請求項１記載の画像形成装置は、複数の機能部が搭載された基板と、前記機能部に供給するための第１電圧を前記基板に出力する第１電源回路と、その第１電源回路が出力する第１電圧よりも低い電圧である第２電圧を前記基板に出力する第２電源回路と、前記第１電源回路と第２電源回路とを動作させるか否かを個別に切り替える電源切替手段と、前記基板に搭載されると共に前記第１電源回路から入力される第１電圧を前記基板に搭載された機能部の各々が動作するために必要な電圧に変圧して、その各々の機能部に供給する第３電源回路と、前記基板に搭載された複数の機能部を動作させる動作モードと、その複数の機能部のうち一部を動作させる低消費モードとを切り替えるモード切替手段と、前記モード切替手段により動作モードが選択された場合は、前記電源切替手段を切り替えて第１電源回路を動作させ、その第１電源回路から出力される第１電圧を前記第３電源回路に入力すると共に、その第３電源回路を介して変圧された電圧を前記動作モードで動作する機能部に供給し、一方、低消費モードが選択された場合は、前記電源切替手段を切り替えて第２電源回路を動作させると共に第１電源回路の動作を停止させ、且つ、前記第２電源回路から出力される第２電圧を前記第３電源回路を介さずに前記低消費モードで動作する機能部に供給する制御手段とを備えている。
【０００６】
請求項２記載の画像形成装置は、請求項１記載の画像形成装置において、前記制御手段は、前記モード切替手段により低消費モードが選択された場合に、前記第２電源回路を動作させて、その第２電源回路から出力される第２電圧を前記低消費モードで動作する機能部に供給してから、前記第１電源回路の動作を停止する。
【０００７】
請求項３記載の画像形成装置は、請求項１又は２に記載の画像形成装置において、前記制御手段は、前記モード切替手段により動作モードが選択された場合に、前記第１電源回路を動作させて、その第１電源回路から出力される第１電圧を前記第３電源回路に入力し、その第３電源回路を介して変圧された電圧を前記動作モードで動作する機能部に供給してから、前記第２電源回路の動作を停止するものである。
【０００８】
請求項４記載の画像形成装置は、請求項１から３のいずれかに記載の画像形成装置において、前記第３電源回路は前記第１電源回路から出力される第１電圧を変圧して前記第２電圧と同一か略等しい電圧を出力し、その電圧を前記低消費モードで動作する機能部に供給するものであり、前記第１電源回路から出力される第１電圧を前記第３電源回路に入力するか否かを切り替える第１スイッチと、前記第３電源回路から出力される電圧を前記低消費モードで動作する機能部に供給するか否かを切り替える第２スイッチとを備え、前記制御手段は、前記モード切替手段により低消費モードが選択された場合に、前記第２スイッチを切り替えて第３電源回路から出力され前記低消費モードで動作させる機能部に供給される電圧を遮断してから、前記第１スイッチを切り替えて第３電源回路に入力される第１電圧を遮断するものである。
【０００９】
請求項５記載の画像形成装置は、請求項１から４のいずれかに記載の画像形成装置において、前記第３電源回路は前記第１電源回路から出力される第１電圧を変圧して前記第２電圧と同一か略等しい電圧を出力し、その電圧を前記低消費モードで動作する機能部に供給するものであり、前記第１電源回路から出力される第１電圧を前記第３電源回路に入力するか否かを切り替える第１スイッチと、前記第３電源回路から出力される電圧を前記低消費モードで動作する機能部に供給するか否かを切り替える第２スイッチとを備え、前記制御手段は、前記モード切替手段により動作モードが選択された場合に、前記第１スイッチを切り替えて第３電源回路に前記第１電源回路から出力される第１電圧を入力してから、前記第２スイッチを切り替えて第３電源回路から出力される電圧を前記低消費モードで動作させる機能部に供給するものである。
【００１０】
請求項６記載の画像形成装置において、請求項１から５のいずれかに記載の画像形成装置において、前記第１電源回路と第２電源回路とは前記基板の外部に設けられており、前記第１電源回路から出力される第１電圧を前記基板に供給するための第１接続手段と、前記第１電源回路から出力される第１電圧または前記第２電源回路から出力される第２電圧のいずれかを前記基板に供給するための第２接続手段と、前記第１接続手段および第２接続手段により前記基板に前記第１電源回路から出力される第１電圧を供給するか又は前記第２接続手段により前記第２電源回路から出力される第２電圧を供給するかを選択する第３スイッチと、前記第２接続手段により供給される電圧を、前記低消費モードで動作させる機能部に供給するか又は動作モードで動作させる機能部に供給するかを選択する第４スイッチとを備え、前記制御手段は、前記モード選択手段により動作モードが選択された場合に、前記第１接続手段により前記第１電源回路から出力される第１電圧を前記基板に供給し、前記第３電源回路から出力される電圧を前記低消費モードで動作させる機能部に供給してから第２電源回路の動作を停止し、その後、前記第４スイッチを切り替えて第２接続手段により供給される電圧を前記動作モードで動作する機能部に供給してから、前記第３スイッチを切り替えて前記第１接続手段および第２接続手段により第１電源回路から出力される第１電圧を前記基板に供給するものである。
【発明の効果】
【００１１】
請求項１記載の画像形成装置の制御手段によれば、モード切替手段により動作モードが選択されると、電源切替手段によって第１電源回路が動作するように切り替えられる。この第１電源回路から第１電圧が出力され、その第１電圧は第３電源回路へ入力され、更に、その第３電源回路を介して変圧された電圧が、基板に搭載された複数の機能部であって、動作モードで動作する各機能部に供給される。一方、モード切替手段により低消費モードが選択されると、電源切替手段によって、第２電源回路が動作し且つ第１電源回路が停止するように切り替えられる。この第２電源回路からは第１電圧より低い電圧である第２電圧が出力され、その第２電圧は、第３電源回路を介さずに、低消費モードで動作する各機能部に供給される。このように、低消費モードでは、第１電源回路および第３電源回路が停止され、低消費モードで動作する機能部へは第２電源回路から出力される第２電圧が供給される。よって、低消費モードで動作させる必要のある機能部を動作させつつ、動作モードで動作する機能部に電力を供給する第１電源回路と第３電源回路との消費電力を無くして、低消費モードにおける消費電力を低減することができるという効果がある。
【００１２】
請求項２記載の画像形成装置によれば、請求項１記載の画像形成装置の奏する効果に加え、モード切替手段により低消費モードが選択された場合には、制御手段により第２電源回路が動作させられ、その第２電源回路から出力される第２電圧が低消費モードで動作する機能部に供給されてから、第１電源回路の動作が停止される。よって、低消費モードで動作する機能部に常に電力を供給することができるので、その機能部を安定して動作させることができるという効果がある。
【００１３】
請求項３記載の画像形成装置によれば、請求項１又は２に記載の画像形成装置の奏する効果に加え、モード切替手段により動作モードが選択された場合には、制御手段により第１電源回路が動作させられ、その第１電源回路から出力される第１電圧が第３電源回路に入力され、その第３電源回路を介して変圧された電圧が動作モードで動作する機能部に供給されてから、第２電源回路の動作が停止される。よって、低消費モードで動作する機能部に常に電力を供給することができるので、その機能部を安定して動作させることができるという効果がある。
【００１４】
請求項４記載の画像形成装置によれば、請求項１から３のいずれかに記載の画像形成装置の奏する効果に加え、モード切替手段により低消費モードが選択された場合には、まず、第２スイッチによって、第３電源回路から出力される電圧であって低消費モードで動作させる機能部に供給される電圧が遮断され、その後、第１スイッチによって、第３電源回路に入力される第１電圧が遮断される。第２電源回路から第２電圧が低消費モードで動作する機能部に供給されている場合に、第３電源回路に第１電圧が供給されていなければ、第３電源回路の出力に第２電圧が印加されることとなる。第３電源回路は、その入力電圧値よりも出力電圧値の方が高くなると、第３電源回路の出力から入力へ向けて逆方向電流が生じるが、そのような場合でも、第１及び第２スイッチの切り替えにより逆方向電流を抑制して、第３電源回路の破損を防止することができるという効果がある。
【００１５】
請求項５記載の画像形成装置によれば、請求項１から４のいずれかに記載の画像形成装置の奏する効果に加え、モード切替手段により動作モードが選択された場合には、まず、第１スイッチによって、第３電源回路に第１電源回路から出力される第１電圧が入力され、その後、第２スイッチによって、第３電源回路から出力される電圧が低消費モードで動作させる機能部に供給される。第２電源回路から第２電圧が低消費モードで動作する機能部に供給されている場合に、第３電源回路に第１電圧が供給されていなければ、第３電源回路の出力に第２電圧が印加されることとなる。第３電源回路は、その入力電圧値よりも出力電圧値の方が高くなると、第３電源回路の出力から入力へ向けて逆方向電流が生じるが、そのような場合でも、第１及び第２スイッチの切り替えにより逆方向電流を抑制して、第３電源回路の破損を防止することができるという効果がある。
【００１６】
請求項６記載の画像形成装置によれば、請求項１から５のいずれかに記載の画像形成装置の奏する効果に加え、モード選択手段により動作モードが選択された場合には、まず、第１接続手段により第１電源回路から出力される第１電圧が複数の機能部が搭載された基板へ供給され、その第１電圧を入力した第３電源回路から出力される電圧が、低消費モードで動作させる機能部に供給されてから、第２電源回路が停止される。その後、第４スイッチによって、第２接続手段により供給される電圧が動作モードで動作する機能部に供給されてから、第３スイッチによって、第１接続手段および第２接続手段により第１電源回路から出力される第１電圧が複数の機能部が搭載された基板に供給される。
【００１７】
動作モードが選択された場合には、第１電圧により動作モードで動作する機能部に電圧が供給されるので、第２電圧を供給する必要がない。そこで、使用されていない第２接続手段を利用し、第１電源回路から出力される第１電圧を、第１接続手段および第２接続手段により基板へ供給する。これにより、いずれか一方の接続手段が万一故障した場合でも、他方の接続手段により第１電圧を基板へ供給することができるので、各機能部を安定して動作させることができるという効果がある。即ち、第１電源回路から出力される第１電圧を、第１接続手段と第２接続手段とを介して基板へ供給することにより、一方の接続手段の故障時にも各機能部を安定動作させるためのフェールセーフ機能を持たせることができるのである。
【発明を実施するための最良の形態】
【００１８】
以下、本発明の好ましい実施形態について、添付図面を参照して説明する。図１は、本発明の実施形態における多機能周辺装置（以下、「ＭＦＰ（Ｍｕｌｔｉ  Ｆｕｎｃｔｉｏｎ  Ｐｅｒｉｐｈｅｒａｌ）」と称す）２０の外観構成を示した斜視図である。このＭＦＰ２０は、プリンタ機能、スキャナ機能、及び、コピー機能などの各種機能を有している。
【００１９】
ＭＦＰ２０の本体の前面には、開口部５５が設けられ内部が上下に仕切られている。開口部５５の下側には、複数枚の記録用紙を積層収納可能な給紙カセット５３が挿入されている。給紙カセット５３は、Ａ４サイズ等にカットされた記録用紙が収納可能に構成されている。開口部５５の上側は記録済みの記録用紙が排紙される排紙部５４となっている。
【００２０】
本体の内部には、ＣＰＵ２１（図２参照）からの指示に基づいて、所定の給紙位置（図示しない）にセットされた記録用紙への記録を行うためのインクジェット方式のプリンタ５９が内蔵されている。プリンタ５９は、記録用紙を搬送する記録用紙搬送用モータ（図示しない）と、記録用紙へインクを吐出する印字ヘッド（図示しない）と、その印字ヘッドを搭載した印字キャリッジ（図示しない）を移動させる印字キャリッジモータ（図示しない）とを有している。
【００２１】
開口部５５の上部には、スキャナ機能やコピー機能の実行時における原稿読取のためのスキャナ６０が配設されている。スキャナ６０は、原稿カバー体５８と、原稿を載置するための載置用ガラス板（図示しない）と、原稿を一ライン分読み取る原稿読取センサー（図示しない）を搭載したスキャナキャリッジ（図示しない）と、そのスキャナキャリッジ（図示しない）を一方向に往復移動させるためのスキャナキャリッジモータ（図示しない）とを有している。
【００２２】
原稿カバー体５８の下側には、載置用ガラス板（図示しない）が設けられており、原稿を読み取る場合は、原稿カバー体５８を上側に開き、載置用ガラス板上に原稿を載置し、原稿カバー体５８を閉じて原稿を固定する。
【００２３】
そして、操作部２７の原稿読取キー２７ｄを押下すると、載置用ガラス板（図示しない）の下側に設けられているスキャナキャリッジ（図示しない）により、原稿の一端から他端に向かって一ラインずづ画像が読み取られる。原稿が一ライン読み取られると、スキャナキャリッジモータ（図示しない）によりスキャナキャリッジ（図示しない）が一ライン分原稿の他端に向かって搬送され、次の一ラインの画像が読み取られる。この読み取りと搬送の処理が繰り返され、原稿全体の画像が読み取られる。読み取られた画像データは後述のＲＡＭ２５（図２参照）における所定の記憶領域に格納される。なお、スキャナ６０の原稿読取センサー（図示しない）には、例えばＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｄｅ）が用いられている。
【００２４】
原稿カバー体５８の前方には、横長形状の操作パネル５６が設けられており、操作部２７、表示部２９、スピーカ３０（図２参照）とを具備する。操作部２７には、ＭＦＰ２０を動作モードから低消費モードに移行させるための低消費モード移行キー２７ａ、ＭＦＰ２０を低消費モードから動作モードへ移行させるための動作モード移行キー２７ｂ、表示部２９に表示される設定内容を決定するための決定キー２７ｃ、スキャナ６０により原稿を読み取るための原稿読取キー２７ｄなどが設けられている。また、利用者は、操作部２７の各種キーを押下することで、主電源のオン／オフや、プリンタ機能、スキャナ機能、及び、コピー機能などの各種機能の切り替えなどの操作を行うことができる。
【００２５】
表示部２９は、メニューや操作手順や実行中の処理の状態を表示するものであり、例えば、液晶ディスプレイ等の表示装置で構成される。また、操作部２７の押下に対応する情報が表示されるので、利用者はプリンタ５９により記録する画像データやＭＦＰ２０の各種情報を確認することができる。スピーカ３０（図２参照）は、操作部２７の操作音やエラー発生時の注意音を利用者に報知するものである。
【００２６】
次に、図２を参照して、ＭＦＰ２０の電気的構成について説明する。図２は、ＭＦＰ２０の電気的構成と、その電気的構成に入力される電力の供給経路を概略的に示したブロック図である。
【００２７】
ＭＦＰ２０は、主に、ＭＦＰ２０を動作させるための電力を生成する電源１００と、ＭＦＰ２０を制御するための各種制御部が搭載されたメイン基板２００と、電源１００により生成される電力をメイン基板２００へ入力（供給）するための３本の接続線４７〜４９とを備えている。
【００２８】
ＭＦＰ２０には、ＭＦＰ２０のメイン基板２００の全機能部２４〜３３を動作させる動作モードと、ＭＦＰ２０のメイン基板２００の一部の機能部２４〜２８のみ動作させ、ＭＦＰ２０全体の消費電力を抑制する低消費モードとを有している。ユーザは、操作部２７（図１参照）の低消費モード移行キー２７ａまたは動作モード移行キー２７ｂを押下することにより、動作モードと低消費モードとを切り替えることができる。具体的には、ＭＦＰ２０が動作モードである場合に、ユーザにより低消費モード移行キー２７ａが押下されると、ＭＦＰ２０は消費電力を抑制する低消費モードに移行する。また、ＭＦＰ２０が低消費モードである場合に、ユーザにより動作モード移行キー２７ｂが押下されると、ＭＦＰ２０はメイン基板２００の全機能部を利用可能な動作モードに移行する。
【００２９】
ＭＦＰ２０が動作モードである場合は、ＭＦＰ２０のメイン基板２００の全機能部２４〜３３および各種モータや印字ヘッドなどに電力が供給されるが、低消費モードである場合は、後述のＣＰＵ２１と常に動作させる機能部２２とにのみ電力が供給されるので、ＭＦＰ２０全体の消費電力を削減することができる。
【００３０】
電源１００は、主に、商用電源から供給される１００Ｖ交流電圧（以下、「ＡＣ電圧」と称す）７０を入力して、３１Ｖ直流電圧（ＤＣ３１Ｖ）を出力する第１のＡＣ／ＤＣ変換器（図中、ＡＣ／ＤＣ１）４１と、ＡＣ電圧７０を入力して、１．２Ｖ直流電圧（ＤＣ１．２Ｖ）を出力する第２のＡＣ／ＤＣ変換器（図中、ＡＣ／ＤＣ２）４２と、ＡＣ電圧７０を入力して、３．３Ｖ直流電圧（ＤＣ３．３Ｖ）を出力する第３のＡＣ／ＤＣ変換器（図中、ＡＣ／ＤＣ３）４３と、ＡＣ電圧７０を各ＡＣ／ＤＣ変換器４１〜４３に個別に入力するためのスイッチＳＷ１〜３と、各ＡＣ／ＤＣ変換器４１〜４３から出力される電圧を個別にメイン基板２００に出力するためのスイッチＳＷ４〜６と、第１のＡＣ／ＤＣ変換器４１から出力されるＤＣ３１Ｖを、第１の接続線４７および第２の接続線４８を介してメイン基板２００に入力するためのスイッチＳＷ７とを備えている。
【００３１】
スイッチＳＷ１〜７は、それぞれが個別の信号ライン（図示しない）によりメイン基板２００のＣＰＵ２１と接続されており、ＣＰＵ２１より出力される切替信号Ｉ〜Ｖ（図６〜１０参照）によって、オン又はオフ（開閉）されるように構成されている。
【００３２】
具体的には、ＣＰＵ２１は、各スイッチＳＷ１〜３に個別に切替信号ＩＩ、Ｖ（図７，１０参照）を出力することで、各スイッチＳＷ１〜３のオン又はオフ（開閉）を個別に制御することができる。よって、各ＡＣ／ＤＣ変換器４１〜４３にそれぞれ個別にＡＣ電圧７０を入力できるので、各ＡＣ／ＤＣ変換器４１〜４３を動作させるか否かを制御することができる。また、各スイッチＳＷ１〜７に個別に切替信号Ｉ〜Ｖ（図６〜１０参照）を出力することで、各ＡＣ／ＤＣ変換器４１〜４３の出力電圧を、メイン基板２００に供給するか否かを制御することができる。
【００３３】
第１のＡＣ／ＤＣ変換器４１は、ＡＣ電圧７０を入力して、ＤＣ３１Ｖを出力する電圧変換器である。この第１のＡＣ／ＤＣ変換器４１は、ＭＦＰ２０全体を動作させるための大きな電力を出力する電圧変換器であり、電圧変換時には多くの電力が消費される。
【００３４】
第１のＡＣ／ＤＣ変換器４１（図中、ＡＣ／ＤＣ１）の入力には、スイッチＳＷ１の一端が接続されており、スイッチＳＷ１の他端には、ＡＣ電圧７０が接続されている。第１のＡＣ／ＤＣ変換器４１の出力には、スイッチＳＷ４の一端が接続されており、スイッチＳＷ４の他端には、スイッチＳＷ７の一端と第１の接続線４７の一端とが接続されている。第１の接続線４７の他端には、メイン基板２００のスイッチＳＷ８の一端と、メイン基板２００のスイッチＳＷ１２の一端と、メイン基板２００のスイッチＳＷ１５の一端とが、それぞれ接続されている。第１の接続線４７は、第１のＡＣ／ＤＣ変換器４１から出力されるＤＣ３１Ｖを、メイン基板２００へ入力するための接続線である。
【００３５】
メイン基板２００のＣＰＵ２１によりスイッチＳＷ１がオンされると、ＡＣ電圧７０が第１のＡＣ／ＤＣ変換器４１（図中、ＡＣ／ＤＣ１）に入力されて、その出力からＤＣ３１Ｖが出力される。そして、ＣＰＵ２１によりスイッチＳＷ４がオンされると、その第１のＡＣ／ＤＣ変換器４１から出力されるＤＣ３１Ｖは、第１の接続線４７を介してメイン基板２００に入力される。
【００３６】
第２のＡＣ／ＤＣ変換器４２は、ＡＣ電圧７０を入力して、ＤＣ１．２Ｖを出力する電圧変換器である。この第２のＡＣ／ＤＣ変換器４２から出力されるＤＣ１．２Ｖは、ＭＦＰ２０が低消費モードである場合に、メイン基板２００のＣＰＵ２１のコア電源に入力されるものである。また、第２のＡＣ／ＤＣ変換器４２は、低消費モードである場合に、ＣＰＵ２１のコア電源のみに電圧を入力する電圧変換器であるので、第１のＡＣ／ＤＣ変換器４１よりも非常に小型に構成され、電圧変換時に消費される電力も非常に少ない。
【００３７】
ここで、ＣＰＵ２１のコア電源とは、ＣＰＵ２１の内部に設けられている各種回路を動作可能とするための電圧の入力部である。ＣＰＵ２１のコア電源に、所定の電圧（例えば、ＤＣ１．２Ｖ）が入力されると、ＣＰＵ２１内の各種回路が動作可能となり、ＣＰＵ２１は演算処理が可能な状態となる。
【００３８】
第２のＡＣ／ＤＣ変換器４２の入力には、スイッチＳＷ２の一端が接続されており、スイッチＳＷ２の他端には、ＡＣ電圧７０が接続されている。第２のＡＣ／ＤＣ変換器４２の出力には、スイッチＳＷ５の一端が接続されており、スイッチＳＷ５の他端には、スイッチＳＷ７の他端と、第２の接続線の一端とが接続されている。第２の接続線４８の他端には、メイン基板２００のスイッチＳＷ８の他端と、メイン基板２００のスイッチＳＷ９の一端とが接続されている。メイン基板２００のスイッチＳＷ９の他端には、メイン基板２００のスイッチＳＷ１０の一端と、メイン基板２００のＣＰＵ２１のコア電源とが接続されている。
【００３９】
第２の接続線４８は、第１のＡＣ／ＤＣ変換器４１から出力されるＤＣ３１Ｖまたは第２のＡＣ／ＤＣ変換器４２から出力されるＤＣ１．２Ｖの何れか一方を、メイン基板２００に入力するための接続線である。
【００４０】
メイン基板２００のＣＰＵ２１によりスイッチＳＷ２がオンされると、ＡＣ電圧７０が第２のＡＣ／ＤＣ変換器４２に入力され、その出力からＤＣ１．２Ｖが出力される。そして、ＣＰＵ２１によりスイッチＳＷ５がオンされ、スイッチＳＷ７がオフされている場合に、その第２のＡＣ／ＤＣ４２から出力されるＤＣ１．２Ｖが、第２の接続線４８を介してメイン基板２００に入力される。さらに、ＣＰＵ２１によりスイッチＳＷ９がオンされると、そのＤＣ１．２Ｖは、ＣＰＵ２１のコア電源に入力される。
【００４１】
このＣＰＵ２１のコア電源には、第２のＡＣ／ＤＣ変換器４２から出力されるＤＣ１．２Ｖと、後述するメイン基板２００に搭載されるＤＣ／ＤＣ変換器（図中、ＤＣ／ＤＣ）４４のＣＰＵ用電源から出力されるＤＣ１．２Ｖ（スイッチＳＷ１０がオンの場合）との何れか一方または両方から電圧が入力される。
【００４２】
一方、ＣＰＵ２１によりスイッチＳＷ５，９がオフされ、スイッチＳＷ４，７，８がオンされている場合は、第１のＡＣ／ＤＣ変換器４１から出力されるＤＣ３１Ｖが、第１の接続線４７および第２の接続線４８を介してメイン基板２００に入力される。このように、第１のＡＣ／ＤＣ変換器４１から出力されるＤＣ３１Ｖを、２つの接続線４７，４８を介してメイン基板２００に入力することで、何れか一方の接続線が故障した場合でも、他方の接続線によりＤＣ３１Ｖをメイン基板２００に入力することができるので、メイン基板２００の各機能部を安定して動作させることができる。即ち、フェイルセーフ機能を働かせることができる。
【００４３】
第３のＡＣ／ＤＣ変換器４３は、ＡＣ電圧７０を入力して、ＤＣ３．３Ｖを出力する電圧変換器である。この第３のＡＣ／ＤＣ変換器４３から出力されるＤＣ３．３Ｖは、ＭＦＰ２０が低消費モードである場合に、メイン基板２００のＣＰＵ２１のＩ／Ｏ電源の入力と、メイン基板２００に搭載された機能部であって常に動作させる機能部２２とに入力される。また、低消費モードである場合に、ＣＰＵ２１のＩ／Ｏ電源の入力と、常に動作させる機能部２２とにのみ電圧を入力する電圧変換器であるので、第１のＡＣ／ＤＣ変換器４１よりも小型に構成され、電圧変換時に消費される電力も少ない。
【００４４】
ここで、ＣＰＵ２１のＩ／Ｏ電源とは、ＣＰＵ２１と各種バスライン（図示しない）や信号ライン（図示しない）を介して接続される各機能部２４〜３３およびスイッチＳＷ１〜１６との信号の入出力を可能とするための電圧の入力部である。ＣＰＵ２１のＩ／Ｏ電源に、所定の電圧（例えば、ＤＣ３．３Ｖ）が入力されると、ＣＰＵ２１はバスライン及び信号ラインを介して接続される各機能部２４〜３３およびスイッチＳＷ１〜１６に対して切替信号Ｉ〜Ｖを出力したり、逆に、ＣＰＵ２１に対して出力された信号を、ＣＰＵ２１に入力することができる。
【００４５】
第３のＡＣ／ＤＣ変換器４３の入力には、スイッチＳＷ３の一端が接続されており、スイッチＳＷ３の他端には、ＡＣ電圧７０が接続されている。第３のＡＣ／ＤＣ変換器４３の出力には、スイッチＳＷ６の一端が接続されており、スイッチＳＷ６の他端には、第３の接続線４９の一端が接続されている。第３の接続線４９の他端には、メイン基板２００のスイッチＳＷ１１の一端が接続されており、スイッチＳＷ１１の他端には、メイン基板２００のＣＰＵ２１のＩ／Ｏ電源と、メイン基板２００の常に動作させる機能部２２と、スイッチＳＷ１４の一端とが接続されている。
【００４６】
第３の接続線４９は、第３のＡＣ／ＤＣ変換器４３から出力されるＤＣ３．３Ｖを、メイン基板２００のＣＰＵ２１のＩ／Ｏ電源と、メイン基板２００の常に動作させる機能部２２とに入力するための接続線である。
【００４７】
メイン基板２００のＣＰＵ２１によりスイッチＳＷ３がオンされると、ＡＣ電圧７０が第３のＡＣ／ＤＣ変換器４３に入力され、その出力からＤＣ３．３Ｖが出力される。そして、ＣＰＵ２１によりスイッチＳＷ６がオンされると、第３のＡＣ／ＤＣ変換器４３から出力されるＤＣ３．３Ｖは、第３の接続線４９を介してメイン基板２００に入力される。さらに、ＣＰＵ２１によりスイッチＳＷ１１がオンされると、そのＤＣ３．３ＶがＣＰＵ２１のＩ／Ｏ電源と常に動作させる機能部２２とに入力される。
【００４８】
このＣＰＵ２１のＩ／Ｏ電源および常に動作させる機能部２２には、第３のＡＣ／ＤＣ変換回路４３から出力されるＤＣ３．３Ｖと、後述するメイン基板２００の第１のレギュレータ（図中、ＲＥＧ１）４５により出力されるＤＣ３．３Ｖ（スイッチＳＷ１４がオンの場合）との何れか一方または両方から電圧が入力される。
【００４９】
メイン基板２００は、主に、ＣＰＵ２１と、常に動作させる機能部２２と、低消費モードでは動作させないその他の機能部２３と、電源１００の第１のＡＣ／ＤＣ変換器４１から出力されるＤＣ３１Ｖを入力して複数の直流電圧を生成し、それぞれ個別に出力するＤＣ／ＤＣ変換器４４と、ＤＣ／ＤＣ変換器４４から出力される直流電圧の一つを入力し、ＣＰＵ２１および常に動作させる機能部２２に電力を供給する第１のレギュレータ４５と、ＤＣ／ＤＣ変換器４４から出力される直流電圧の一つを入力し、その他の機能部２３に電力を供給する第２のレギュレータ（図中、ＲＥＧ２）４６と、電源１００から入力される各種電圧をメイン基板へ入力するか否か、メイン基板２００内で生成される電圧をそれぞれの出力先に供給するか否かを制御するスイッチＳＷ８〜１６とを備えている。
【００５０】
ＣＰＵ２１、常に動作させる機能部２２、その他の機能部２３は、図示しないバスラインを介してお互いに接続されている。ＣＰＵ２１は、常に動作させる機能部２２のＲＯＭ２４やＲＡＭ２５に記憶される固定値やプログラム或いは、ＭＦＰ２０が有しているプリンタ機能、スキャナ機能、及び、コピー機能などの各種機能の制御や、通信制御部３３を介して送受信される各種信号に従って、バスライン（図示しない）と接続された各部を制御するものである。ＣＰＵ２１は、コア電源の入力にＤＣ１．２Ｖが入力され、且つ、Ｉ／Ｏ電源の入力にＤＣ３．３Ｖが入力されている場合に動作するものである。
【００５１】
また、ＣＰＵ２１は、電源１００のスイッチＳＷ１〜７およびメイン基板２００のスイッチＳＷ８〜１６のそれぞれと、個別の信号ライン（図示しない）により接続されており、各スイッチＳＷ１〜１６は、ＣＰＵ２１から出力される切替信号Ｉ〜Ｖ（図６〜１０参照）によりオン又はオフされるように構成されている。具体的には、ＣＰＵ２１は、電源１００のスイッチＳＷ１〜７およびメイン基板２００のスイッチＳＷ８〜１６に個別に切替信号Ｉ〜Ｖ（図６〜１０参照）を出力することで、各スイッチＳＷ１〜１６のオン又はオフ（開閉）を個別に制御することができる。
【００５２】
常に動作させる機能部２２は、動作モードや低消費モードに関係なく、常に動作する部分であり、ＲＯＭ２４、ＲＡＭ２５、フラッシュメモリ２６、操作部２７、操作検出部２８により構成されている。常に動作させる機能部２２は、ＤＣ３．３Ｖが入力されている場合に、各機能部２４〜２８がそれぞれ動作する。
【００５３】
ＲＯＭ２４は、ＭＦＰ２０で実行される制御プログラムなどを格納した書換不能なメモリであり、図３、図４、図５のフローチャートに示すプログラムは、このＲＯＭ２４に格納されている。ＲＡＭ２５は、書き替え可能な揮発性のメモリであり、ＭＦＰ２０の各操作の実行時に各種のデータを一時的に記憶するためのメモリである。フラッシュメモリ２６は、書換可能な不揮発性のメモリであり、このフラッシュメモリ２６に記憶されたデータは、ＭＦＰ２０の主電源オフ後も（例えば、スイッチＳＷ１〜３のすべてがオフされた状態でも）保持される。
【００５４】
操作検出部２８は、ユーザにより押下される操作部２７（図１参照）の各種操作キーの検出や、原稿カバー体５８（図１参照）の開閉状態の検出や、電話回線（図示しない）を介した外部装置（図示しない）からの着信を検出するものである。その他の機能部２３は、低消費モードである場合に、その動作を停止させる機能部により構成され、表示部２９、スピーカ３０、プリンタ制御部３１、スキャナ制御部３２、通信制御部３３が設けられている。その他の機能部２３は、ＤＣ３．３ＶおよびＤＣ５Ｖが入力されている場合に、各機能部２９〜３３がそれぞれ動作する。
【００５５】
プリンタ制御部３１は、プリンタ５９（図１参照）の制御回路部であり、記録用紙に画像を記録する場合の画像処理や印刷処理などの各種制御を行うものである。スキャナ制御部３２は、スキャナ６０（図１参照）の制御回路部であり、原稿を読み取る読取処理や読み取った画像を補正する画像処理などの各種制御を行うものである。
【００５６】
通信制御部３３は、電話回線（図示しない）の回線制御や、その電話回線を介して送受信されるデータの通信制御を行うものである。この通信制御部３３は電話回線（図示しない）と接続されており、その電話回線を介して外部装置（図示しない）と接続された場合に、ＭＦＰ２０は、外部装置（図示しない）とのデータの送受信を行うことができる。
【００５７】
ＤＣ／ＤＣ変換器４４は、電源１００から供給されるＤＣ３１Ｖを入力して、複数の直流電圧を生成し、それぞれ個別に出力する電圧変換器である。具体的には、ＤＣ／ＤＣ変換器４４にＤＣ３１Ｖが入力されると、ＣＰＵ用電源からＤＣ１．２Ｖが、ＲＥＧ用電源からＤＣ５Ｖが、ヘッド用電源からＤＣ１５〜２８Ｖの何れか一つの電圧が、それぞれ個別に出力される。このヘッド用電源から出力される電圧（ＤＣ１５〜２８Ｖの何れか一つ）は、印字ヘッドの状態に応じてプリンタ制御部３１により決定される。
【００５８】
ＤＣ／ＤＣ変換器４４の入力には、スイッチＳＷ１２の他端が接続されており、スイッチＳＷ１２の一端には、第１の接続線４７の他端と、スイッチＳＷ８の一端と、スイッチＳＷ１５の一端とが接続されている。ＤＣ／ＤＣ変換器４４のＣＰＵ用電源の出力には、スイッチＳＷ１０の他端が接続されており、スイッチＳＷ１０の一端には、スイッチＳＷ９の他端と、ＣＰＵ２１のコア電源とが接続されている。
【００５９】
ＣＰＵ２１によりスイッチＳＷ１０がオンされると、ＤＣ／ＤＣ変換器４４のＣＰＵ用電源から出力されるＤＣ１．２Ｖが、ＣＰＵ２１のコア用電源に入力される。このＣＰＵ２１のコア電源には、ＤＣ／ＤＣ変換器４４のＣＰＵ用電源から出力されるＤＣ１．２Ｖと、電源１００の第２のＡＣ／ＤＣ変換器４２から供給されるＤＣ１．２Ｖ（スイッチＳＷ２，５，９がオンの場合）との何れか一方または両方から電圧が入力される。
【００６０】
ＤＣ／ＤＣ変換器４４のＲＥＧ用電源の出力には、スイッチＳＷ１３の一端が接続されており、スイッチＳＷ１３の他端には、第１のレギュレータ４５の入力と、第２のレギュレータ４６の入力と、その他の機能部２３とが接続されている。ＣＰＵ２１によりスイッチＳＷ１３がオンされると、ＤＣ／ＤＣ変換器４４のＲＥＧ電源から出力されるＤＣ５Ｖが、第１のレギュレータ４５の入力と、第２のレギュレータ４６の入力と、その他の機能部２３とに入力される。
【００６１】
ＤＣ／ＤＣ変換器４４のヘッド用電源の出力には、スイッチＳＷ１６の一端が接続されており、スイッチＳＷ１６の他端には、プリンタ５６（図１参照）の印字ヘッド（図示しない）が接続されている。ＣＰＵ２１によりスイッチＳＷ１６がオンされると、ＤＣ／ＤＣ変換器４４のヘッド用電源から出力される電圧（ＤＣ１５〜２８Ｖの何れか一つ）が、プリンタ５６（図１参照）の印字ヘッド（図示しない）に入力される。このヘッド用電源から出力される電圧（ＤＣ１５〜２８Ｖの何れか一つ）は、印字ヘッドの状態に応じてプリンタ制御部３１により決定される。
【００６２】
スイッチＳＷ１５の他端には、プリンタ５９（図１参照）の記録用紙搬送用モータ（図示しない）、プリンタ５９（図１参照）の印字キャリッジモータ（図示しない）、スキャナ６０（図１参照）のスキャナキャリッジモータ（図示しない）などの各種モータが接続されている。ＣＰＵ２１によりスイッチＳＷ１５がオンされると、電源１００から供給されるＤＣ３１Ｖが、その各種モータに入力される。
【００６３】
第１のレギュレータ４５は、ＤＣ／ＤＣ変換器４４のＲＥＧ用電源から出力されるＤＣ５Ｖを入力して、ＤＣ３．３Ｖを出力する電圧変換器である。この第１のレギュレータ４５は、ＭＦＰ２０が動作中に発生するノイズの影響を防ぎ、安定した定電圧をＣＰＵ２１や常に動作させる機能部２２に供給するためのものであり、ノイズの影響を極力小さくするために配線を短くするべく、メイン基板２００上に搭載されている。
【００６４】
第１のレギュレータ４５の出力には、スイッチＳＷ１４の他端が接続されており、スイッチＳＷ１４の一端には、スイッチＳＷ１１の他端と、ＣＰＵ２１のＩ／Ｏ電源と、常に動作させる機能部２２とが接続されている。
【００６５】
ＣＰＵ２１によりスイッチＳＷ１４がオンされると、第１のレギュレータ４５から出力されるＤＣ３．３Ｖが、ＣＰＵ２１のＩ／Ｏ電源と、常に動作させる機能部２２とに入力される。このＣＰＵ２１のＩ／Ｏ電源および常に動作させる機能部２２には、第１のレギュレータ４５から出力されるＤＣ３．３Ｖと、電源１００の第３のＡＣ／ＤＣ変換器４３から出力されるＤＣ３．３Ｖ（スイッチＳＷ３，６，１１がオンの場合）との何れか一方または両方から電圧が入力される。
【００６６】
第２のレギュレータ４６は、ＤＣ／ＤＣ変換器４４のＲＥＧ用電源から出力されるＤＣ５Ｖを入力して、ＤＣ３．３Ｖを出力する電圧変換器である。この第２のレギュレータ４６は、ＭＦＰ２０が動作中に発生するノイズの影響を防ぎ、安定した定電圧をその他の機能部２３に供給するためのものであり、ノイズの影響を極力小さくするために配線を短くするべく、メイン基板２００上に搭載されている。第２のレギュレータ４６の出力には、その他の機能部２３が接続されている。
【００６７】
ＣＰＵ２１、常に動作させる機能部２２、その他の機能部２３は、それぞれノイズの影響を受けやすく、ノイズの影響を受けると誤動作が生じる。動作モードでは、各種モータ（図示しない）や印字ヘッド（図示しない）などの動作により非常に大きなノイズが発生するため、第１および第２のレギュレータ４５，４６から出力されるノイズの影響を防いだ安定した電圧を、ＣＰＵ２１、常に動作させる機能部２２、その他の機能部２３のぞれぞれに供給しなければならない。このため、第１および第２のレギュレータ４５，４６は、上述した通り、配線を短くするべく、メイン基板２００上に搭載されている。
【００６８】
しかしながら、低消費モードでは、ＣＰＵ２１、常に動作させる機能部２２、その他の機能部２３の動作に影響する程のノイズは発生しないため、電源１００上に搭載されるＡＣ／ＤＣ変換器４２，４３から出力される電圧を、第１および第２のレギュレータ４５，４６を介さずに、そのまま入力して使用することができる。
【００６９】
ここで、図２を参照して、ＭＦＰ２０の動作モードについて説明する。図２は、ＭＦＰ２０が動作モードにおいて、メイン基板２００の各機能部２４〜３３に入力される電力の供給経路を概略的に示したブロック図である。
【００７０】
動作モードでは、電源１００のスイッチＳＷ１，４，７がオンされており、ＡＣ電圧７０が第１のＡＣ／ＤＣ１変換器４１に入力され、その出力からＤＣ３１Ｖが出力されている。
【００７１】
メイン基板２００では、スイッチＳＷ８がオンされ、スイッチＳＷ９がオフされており、電源１００の第１のＡＣ／ＤＣ変換器４１から出力されるＤＣ３１Ｖが、２つの接続線４７，４８を介してメイン基板２００に入力されている。よって、何れか一方の接続線４７，４８が故障した場合でも、他方の接続線によりＤＣ３１Ｖをメイン基板２００に入力することができるので、メイン基板２００の各機能部２４〜３３を安定して動作させることができる（フェイルセーフ機能）。
【００７２】
一方、電源１００のスイッチＳＷ２，３，５，６がオフされており、第２のＡＣ／ＤＣ変換器４２と第３のＡＣ／ＤＣ変換器４３とにはＡＣ電圧７０が入力されないので、各ＡＣ／ＤＣ変換器４２，４３は動作しない。
【００７３】
動作モードでは、第１のＡＣ／ＤＣ変換器４１から、ＭＦＰ２０のメイン基板２００の全機能部２４〜３３および各種モータや印字ヘッドなどに動作するための電力が供給されているので、第２のＡＣ／ＤＣ変換器４２と、第３のＡＣ／ＤＣ変換器４３とにより電圧変換する必要が無く、各ＡＣ／ＤＣ変換器４２，４３の入力電圧（ＡＣ電圧７０）を遮断し、電圧変換の機能を停止させることで不要な電力の消費（電圧変換時に消費される電力）を削減することができる。
【００７４】
メイン基板２００では、スイッチＳＷ９，１１がオフされており、スイッチＳＷ８，１０，１２〜１６がオンされている。電源１００からメイン基板２００に入力されるＤＣ３１Ｖは、ＤＣ／ＤＣ変換器４４と、各種モータとへ入力されている。各種モータとは、プリンタ５９（図１参照）の記録用紙搬送用モータ（図示しない）、プリンタ５９（図１参照）の印字キャリッジモータ（図示しない）、スキャナ６０（図１参照）のスキャナキャリッジモータ（図示しない）などのモータである。
【００７５】
ＤＣ／ＤＣ変換器４４のＣＰＵ用電源から出力されるＤＣ１．２Ｖは、ＣＰＵ２１のコア電源に入力され、ＤＣ／ＤＣ変換器４４のＲＥＧ用電源から出力されるＤＣ５Ｖは、第１のレギュレータ４５と、第２のレギュレータ４６と、その他の機能部２３とに入力されている。このヘッド用電源から出力される電圧（ＤＣ１５〜２８Ｖの何れか一つ）は、印字ヘッドの状態に応じてプリンタ制御部３１により決定される。
【００７６】
次に、図３のフローチャートを参照して、ＭＦＰ２０のＣＰＵ２１により実行されるメイン処理について説明する。図３は、ＭＦＰ２０の主電源が投入されてから、その主電源が遮断されるまで繰り返し実行されるメイン処理を示すフローチャートである。このメイン処理は、ＭＦＰ２０の動作状態を切り替えるための処理であり、ユーザにより操作部２７の低消費モード移行キー２７ａが押下されると、ＭＦＰ２０は低消費モードに移行し、また、ユーザにより動作モード移行キー２７ｂが押下されると、ＭＦＰ２０は動作モードに移行する。
【００７７】
メイン処理では、まず、動作モード中に、ユーザにより操作部２７の低消費モード移行キー２７ａが押下されたかを判定し（Ｓ１）、ユーザにより低消費モード移行キー２７ａが押下された場合は（Ｓ１：Ｙｅｓ）、表示部２９に、「低消費モードに移行しますか？」と表示する（Ｓ２）。一方、ユーザにより低消費モード移行キー２７ａが押下されていない場合は（Ｓ１：Ｎｏ）、Ｓ２〜Ｓ４の処理をスキップし、Ｓ５の処理に移行する。
【００７８】
次に、ユーザにより押下されたキーは何であるかを判定し（Ｓ３）、ユーザにより決定キー２７ｃが押下された場合は、低消費モード移行処理を実行する（Ｓ４）。一方、決定キー２７ｃ以外のその他のキーが押下された場合は、Ｓ４の処理をスキップして、Ｓ５の処理に移行する。
【００７９】
ここで、図４のフローチャートを参照して、低消費モード移行処理（Ｓ４）について説明する。図４は、低消費モード移行処理（Ｓ４）を示すフローチャートである。低消費モード移行処理（Ｓ４）は、ＭＦＰ２０を動作モードから低消費モードに移行させるための処理であり、動作モードにおいて、ＭＦＰ２０のメイン基板２００の全機能部（図２参照）に供給される電力を、ＣＰＵ２１と常に動作させる機能部２２とのみに供給するための処理である。
【００８０】
この低消費モード移行処理（Ｓ４）では、ＣＰＵ２１から各スイッチＳＷ１〜１６に順番に切替信号Ｉ〜Ｖ（図６〜１０参照）を入力することで、ＣＰＵ２１（図２参照）と常に動作させる機能部２２（図２参照）とのみに、それらが動作するために必要な電力のみを供給する。
【００８１】
ＣＰＵ２１から出力される切替信号Ｉ〜Ｖ（図６〜１０参照）は、個別の信号ライン（図示しない）を介して、電源１００のスイッチＳＷ１〜７、メイン基板２００のスイッチＳＷ８〜１６のそれぞれに個別に入力される。また、ＣＰＵ２１から出力される切替信号Ｉ（図６参照）は、バスライン（図示しない）を介して、その他の機能部２３に入力される。
【００８２】
低消費モード移行処理（Ｓ４）では、まず、ＣＰＵ２１より切替信号Ｉを出力し、メイン基板２００のその他の機能部２３を停止させる（Ｓ１１）。（ＣＰＵ２１より出力された切替信号Ｉにより）、メイン基板２００のスイッチＳＷ１５をオフし、メイン基板２００から各種モータに入力されるＤＣ３１Ｖを遮断して、スイッチＳＷ１６をオフし、ＤＣ／ＤＣ変換器４４のヘッド用電源から出力され、プリンタ５９（図１参照）の印字ヘッドに入力される電圧（ＤＣ１５〜２８Ｖのいずれか一つ）を遮断する（Ｓ１２）。
【００８３】
このヘッド用電源から出力される電圧（ＤＣ１５〜２８Ｖの何れか一つ）は、プリンタ５９（図１参照）の印字ヘッドの状態に応じてプリンタ制御部３１により決定される。また、各種モータとは、プリンタ５９（図１参照）の記録用紙搬送用モータ（図示しない）、プリンタ５９（図１参照）の印字キャリッジモータ（図示しない）、スキャナ６０（図１参照）のスキャナキャリッジモータ（図示しない）などのモータである。
【００８４】
そして、（ＣＰＵ２１により出力された切替信号Ｉにより）、電源１００のスイッチＳＷ７とメイン基板２００のスイッチＳＷ８とをオフする（Ｓ１３）。
【００８５】
ここで、図６を参照して、ＣＰＵ２１から出力される切替信号Ｉにより制御されるその他の機能部２３、スイッチＳＷ７，８，１５，１６の動作について説明する。図６は、動作モード（図２参照）において、ＣＰＵ２１から出力される切替信号Ｉが、その他の機能部２３、スイッチＳＷ７，８，１５，１６に入力された状態を示している。この切替信号Ｉが入力された状態を切り替え状態Ｉと称する。
【００８６】
ＣＰＵ２１より切替信号Ｉが出力されると、メイン基板２００のその他の機能部２３のそれぞれの機能が停止される。そして、メイン基板２００のスイッチＳＷ１５とスイッチＳＷ１６とがオフされ、電力を多く消費する各種モータと印字ヘッドとの動作とが停止するので、メイン基板２００に供給される電力が少なくなる。
【００８７】
また、電源１００のスイッチＳＷ７とメイン基板２００のスイッチＳＷ８とがオフされ、電源１００の第１のＡＣ／ＤＣ変換器４１から出力されるＤＣ３１Ｖは、第１の接続線４７のみによりメイン基板２００に供給される。
【００８８】
ここで、図４のフローチャートの説明に戻る。次に、ＣＰＵ２１より切替信号ＩＩを出力し、電源１００のスイッチＳＷ２をオンし、第２のＡＣ／ＤＣ変換器（ＡＣ／ＤＣ２）４２の入力にＡＣ電圧７０を接続して、そして、スイッチＳＷ５をオンし、第２のＡＣ／ＤＣ変換器４２から出力されるＤＣ１．２Ｖをメイン基板に供給する（Ｓ１４）。
【００８９】
（ＣＰＵ２１より出力された切替信号ＩＩにより）、スイッチＳＷ３をオンし、第３のＡＣ／ＤＣ変換器４３の入力にＡＣ電圧７０を接続して、そして、スイッチＳＷ６をオンし、第３のＡＣ／ＤＣ変換器４３から出力されるＤＣ３．３Ｖをメイン電源２００に供給する（Ｓ１５）。
【００９０】
ここで、図７を参照して、ＣＰＵ２１から出力される切替信号ＩＩにより制御されるスイッチＳＷ２，３，５，６の動作について説明する。図７は、切り替え状態Ｉ（図６参照）において、ＣＰＵ２１から出力される切替信号ＩＩがスイッチＳＷ２，３，５，６に入力された状態を示している。この切替信号ＩＩが入力された状態を切り替え状態ＩＩと称する。
【００９１】
ＣＰＵ２１より切替信号ＩＩが出力されると、電源１００のスイッチＳＷ２がオンされ、第２のＡＣ／ＤＣ変換器４２の入力に、ＡＣ電圧７０が入力される。第２のＡＣ／ＤＣ変換器４２からＤＣ１．２Ｖが出力され、そして、スイッチＳＷ５がオンされると、そのＤＣ１．２Ｖがメイン基板２００に入力される。
【００９２】
続けて、スイッチＳＷ３がオンされ、第３のＡＣ／ＤＣ変換器４３の入力に、ＡＣ電圧７０が入力される。第３のＡＣ／ＤＣ変換器４３からＤＣ３．３Ｖが出力され、そして、スイッチＳＷ６がオンされると、そのＤＣ３．３Ｖがメイン基板２００に入力される。
【００９３】
ここで、図４のフローチャートの説明に戻る。次に、ＣＰＵ２１より切替信号ＩＩＩを出力し、メイン基板２００のスイッチＳＷ９をオンし、電源１００の第２のＡＣ／ＤＣ変換器４２から出力されメイン基板２００に供給されるＤＣ１．２Ｖを、ＣＰＵ２１のコア電源に入力して、メイン基板２００のスイッチＳＷ１１をオンし、電源１００の第３のＡＣ／ＤＣ変換器４３から出力されメイン基板２００に供給されるＤＣ３．３Ｖを、ＣＰＵ２１のＩ／Ｏ電源と、常に動作させる機能部２２とに入力する（Ｓ１６）。
【００９４】
ここで、図８を参照して、ＣＰＵ２１から出力される切替信号ＩＩＩにより制御されるスイッチＳＷ９，１１の動作について説明する。図８は、切り替え状態ＩＩ（図７参照）において、ＣＰＵ２１から出力される切替信号ＩＩがスイッチＳＷ９，１１に入力された状態を示している。この切替信号ＩＩＩが入力された状態を切り替え状態ＩＩＩと称する。
【００９５】
ＣＰＵ２１により切替信号ＩＩＩが出力されると、メイン基板２００のスイッチＳＷ９がオンされ、電源１００の第２のＡＣ／ＤＣ変換器４２から出力されメイン基板２００に供給されるＤＣ１．２Ｖが、ＣＰＵ２１のコア電源に入力される。
【００９６】
続けて、メイン基板２００のスイッチＳＷ１１がオンされ、電源１００の第３のＡＣ／ＤＣ変換器４３から出力されメイン基板２００に供給されるＤＣ３．３Ｖが、ＣＰＵ２１のＩ／Ｏ電源と常に動作させる機能部２２とに入力される。
【００９７】
この切り替え状態ＩＩＩでは、ＣＰＵ２１のコア電源に、電源１００の第２のＡＣ／ＤＣ変換器４２から出力されるＤＣ１．２Ｖと、メイン基板２００のＤＣ／ＤＣ変換器４４のＣＰＵ用電源から出力されるＤＣ１．２Ｖとの両方の電圧が入力される。
【００９８】
同様に、ＣＰＵ２１のＩ／Ｏ電源に、電源１００の第３のＡＣ／ＤＣ変換器４３から出力されるＤＣ３．３Ｖと、メイン基板２００の第１のレギュレータ４５から出力されるＤＣ３．３Ｖとの両方の電圧が入力される。
【００９９】
ここで、図４のフローチャートの説明に戻る。次に、ＣＰＵ２１より切替信号ＩＶを出力し、メイン基板２００のスイッチＳＷ１４をオフし、第１のレギュレータ４５から出力されＣＰＵ２１のＩ／Ｏ電源と常に動作させる機能部２２とに入力されるＤＣ３．３Ｖを遮断して、そして、スイッチＳＷ１３をオフし、ＤＣ／ＤＣ変換器４４のＲＥＧ用電源から出力され第１のレギュレータ４５に入力されるＤＣ５Ｖを遮断する（Ｓ１７）。
【０１００】
（ＣＰＵ２１より出力された切替信号ＩＶにより）、スイッチＳＷ１０をオフし、ＤＣ／ＤＣ変換器４４のＣＰＵ用電源から出力されＣＰＵ２１のコア電源に入力されるＤＣ１．２Ｖを遮断して、そして、スイッチＳＷ１２をオフし、電源１００の第１のＡＣ／ＤＣ変換器４１から供給されメイン基板２００に入力されるＤＣ３１Ｖを遮断する（Ｓ１８）。
【０１０１】
ここで、図９を参照して、ＣＰＵ２１から出力される切替信号ＩＶにより制御されるスイッチＳＷ１０，１２〜１４の動作について説明する。図９は、切り替え状態ＩＩＩ（図８参照）において、ＣＰＵ２１から出力される切替信号ＩＶがスイッチＳＷ１０，１２〜１４に入力された状態を示している。この切替信号ＩＶが入力された状態を切り替え状態ＩＶと称する。
【０１０２】
ＣＰＵ２１により切替信号ＩＶが出力されると、メイン基板２００のスイッチＳＷ１４がオフされ、第１のレギュレータ４５から出力されＣＰＵ２１のＩ／Ｏ電源と常に動作させる機能部２２とに入力されるＤＣ３．３Ｖが遮断される。
【０１０３】
図８に示す切り替え状態ＩＩＩにおいて、既にＣＰＵ２１のＩ／Ｏ電源と、常に動作させる機能部２２とには、電源１００の第３のＡＣ／ＤＣ変換器４３から出力されるＤＣ３．３Ｖが入力されている。よって、スイッチＳＷ１４がオフされても、ＣＰＵ２１のＩ／Ｏ電源と常に動作させる機能部２２とには、動作に必要なＤＣ３．３Ｖが入力され続けるので、安定して動作させることができる。
【０１０４】
続けて、スイッチＳＷ１３がオフされ、ＤＣ／ＤＣ変換器４４のＲＥＧ用電源から出力され第１のレギュレータ４５に入力されるＤＣ５Ｖが遮断される。スイッチＳＷ１４が先にオフされてから、スイッチＳＷ１３がオフされるので、第１のレギュレータ４５の出力電圧が、その入力電圧より高くなることを抑制でき、第１のレギュレータ４５の出力から入力に向かって流れる逆方向電流を防止することができる。
【０１０５】
また、スイッチＳＷ１０がオフされ、ＤＣ／ＤＣ変換器４４のＣＰＵ用電源から出力されＣＰＵ２１のコア電源に入力されるＤＣ１．２Ｖが遮断される。図８に示す切り替え状態ＩＩＩにおいて、既にＣＰＵ２１のコア電源には、電源１００の第２のＡＣ／ＤＣ変換器４２から出力されるＤＣ１．２Ｖが入力されている。よって、スイッチＳＷ１０がオフされても、ＣＰＵ２１のコア電源には、動作に必要なＤＣ１．２Ｖが入力され続けるので、安定して動作させることができる。
【０１０６】
そして、スイッチＳＷ１２がオフされ、電源１００の第１のＡＣ／ＤＣ変換器４１から出力されメイン基板２００のＤＣ／ＤＣ変換器４４に入力されるＤＣ３１Ｖが遮断される。先にスイッチＳＷ１０，１３，１６がオフされてから、スイッチＳＷ１２がオフされるので、ＤＣ／ＤＣ変換器４４の出力電圧が、その入力電圧より高くなることを抑制でき、ＤＣ／ＤＣ変換器４４の出力から入力に向かって流れる逆方向電流を防止することができる。
【０１０７】
ここで、図４のフローチャートの説明に戻る。次に、ＣＰＵ２１より切替信号Ｖを出力し、電源１００のスイッチＳＷ４をオフし、ＡＣ／ＤＣ変換器４１から出力されメイン基板２００に供給されるＤＣ３１Ｖを遮断して、そして、スイッチＳＷ１をオフし、第１のＡＣ／ＤＣ変換器４１に接続されるＡＣ電圧７０を遮断する（Ｓ１９）。
【０１０８】
上述した低消費モード移行処理（Ｓ４）が終了すると、ＭＦＰ２０は、図１１に示す低消費モードとなる。この低消費モード移行処理（Ｓ４）により、ユーザは、ＭＦＰ２０を動作モードから低消費モードに移行させることができる。低消費モード移行処理（Ｓ４）の終了後は、図３のＳ５の処理へ戻る。
【０１０９】
ここで、図１０を参照して、ＣＰＵ２１から出力される切替信号Ｖにより制御されるスイッチＳＷ１，４の動作について説明する。図１０は、切り替え状態ＩＶ（図９参照）において、ＣＰＵ２１から出力される切替信号ＶがスイッチＳＷ１，４に入力された状態を示している。この切替信号Ｖが入力された状態を切り替え状態Ｖと称する。
【０１１０】
ＣＰＵ２１により切替信号Ｖが出力されると、電源１００のスイッチＳＷ４がオフされ、第１のＡＣ／ＤＣ変換器４１から出力されメイン基板２００に供給されるＤＣ３１Ｖが遮断される。そして、スイッチＳＷ１がオフされ、第１のＡＣ／ＤＣ変換器４１の入力に接続されているＡＣ電圧７０が遮断され、ＭＦＰ２０は低消費モードとなる。
【０１１１】
第１のＡＣ／ＤＣ変換器４１では、ＡＣ電圧７０の入力が遮断されると、電圧変換の機能が停止されるので、不要な電力の消費（電圧変換時に消費される電力）を削減することができる。
【０１１２】
スイッチＳＷ４が先にオフされてから、スイッチＳＷ１がオフされるので、第１のＡＣ／ＤＣ変換器４１の出力電圧が、その入力電圧より高くなることを抑制でき、第１のＡＣ／ＤＣ変換器４１の出力から入力に向かって流れる逆方向電流を防止することができる。
【０１１３】
ここで、図３のフローチャートに戻る。低消費モード移行処理（Ｓ４）の終了後、または、Ｓ１の処理において動作モード中に、ユーザにより低消費モード移行キー２７ａが押下されなかった場合は（Ｓ１：Ｎｏ）、低消費モード中に、ユーザにより動作モード移行キー２７ｂが押下されたかを判定する（Ｓ５）。Ｓ５の処理において、低消費モード中に、ユーザにより動作モード移行キー２７ｂが押下された場合は（Ｓ５：Ｙｅｓ）、動作モード移行処理を実行し（Ｓ６）、低消費モード中に、ユーザにより動作モード移行キー２７ｂが押下されなかった場合は（Ｓ５：Ｎｏ）、その他の処理を実行する（Ｓ７）。
【０１１４】
ここで、図５を参照して、動作モード移行処理（Ｓ６）について説明する。図５は、動作モード移行処理（Ｓ６）を示すフローチャートである。動作モード移行処理（Ｓ６）は、ＭＦＰ２０を低消費モードから動作モードに移行させるための処理であり、低消費モードにおいて、ＣＰＵ２１（図２参照）と常に動作させる機能部２２（図２参照）とのみに供給される電力を、ＭＦＰ２０のメイン基板２００の全機能部に供給するための処理である。
【０１１５】
この動作モード移行処理（Ｓ６）では、ＣＰＵ２１から各スイッチＳＷ１〜１６に順番に切替信号を出力することで、メイン基板２００の全機能部に、それらが動作するために必要な電力を供給する。
【０１１６】
ＣＰＵ２１から出力される切替信号Ｉ〜Ｖ（図６〜１０参照）は、個別の信号ライン（図示しない）を介して、電源１００のスイッチＳＷ１〜７、メイン基板２００のスイッチＳＷ８〜１６のそれぞれに個別に入力される。また、ＣＰＵ２１から出力される切替信号Ｉ（図６参照）は、バスライン（図示しない）を介して、その他の機能部２３に個別に入力される。
【０１１７】
この動作モード移行処理（Ｓ６）では、まず、ＣＰＵ２１より切替信号Ｖを出力し、電源１００のスイッチＳＷ１をオンし、第１のＡＣ／ＤＣ変換器４１の入力にＡＣ電圧７０を接続して、そして、スイッチＳＷ４をオンし、第１のＡＣ／ＤＣ変換器４１から出力されるＤＣ３１Ｖをメイン基板２００に供給する（Ｓ２１）。
【０１１８】
ここで、図１０を参照して、ＣＰＵ２１から出力される切替信号Ｖにより制御されるスイッチＳＷ１，４の動作について説明する。図１０は、低消費モード（図１１参照）において、ＣＰＵ２１から出力される切替信号ＶがスイッチＳＷ１，４に入力された状態であり、切り替え状態Ｖを示している。
【０１１９】
ＣＰＵ２１より切替信号Ｖが出力されると、電源１００のスイッチＳＷ１がオンされ、第１のＡＣ／ＤＣ変換器４１の入力にＡＣ電圧７０が接続される。そして、スイッチＳＷ４がオンされ、第１のＡＣ／ＤＣ変換器４１から出力されるＤＣ３１Ｖがメイン基板２００に供給される。
【０１２０】
スイッチＳＷ１が先にオンされてから、スイッチＳＷ４がオンされるので、第１のＡＣ／ＤＣ変換器４１の出力電圧が、その入力電圧より高くなることを抑制でき、第１のＡＣ／ＤＣ変換器４１の出力から入力に向かって流れる逆方向電流を防止することができる。
【０１２１】
ここで、図５のフローチャートの説明に戻る。次に、ＣＰＵ２１より切替信号ＩＶを出力し、メイン基板２００のスイッチＳＷ１２をオンし、電源１００のＡＣ／ＤＣ変換器４１から出力されメイン基板２００に供給されるＤＣ３１ＶをＤＣ／ＤＣ変換器４４に入力して、そして、メイン基板２００のスイッチＳＷ１０をオンし、ＤＣ／ＤＣ変換器４４のＣＰＵ用電源から出力されるＤＣ１．２ＶをＣＰＵ２１のコア電源の入力に入力する（Ｓ２２）。
【０１２２】
（ＣＰＵ２１より出力された切替信号ＩＶにより）、メイン基板２００のスイッチＳＷ１３をオンし、ＤＣ／ＤＣ変換器４４のＲＥＧ用電源から出力されるＤＣ５Ｖを第１のレギュレータ４５に入力し、そして、スイッチＳＷ１４をオンし、第１のレギュレータ４５から出力されるＤＣ３．３ＶをＣＰＵ２１のＩ／Ｏ電源と、常に動作させる機能部２２とに入力する（Ｓ２３）。
【０１２３】
ここで、図９を参照して、ＣＰＵ２１から出力される切替信号ＩＶにより制御されるスイッチＳＷ１０，１２〜１４について説明する。図９は、切り替え状態Ｖ（図１０参照）において、ＣＰＵ２１から出力される切替信号ＩＶがスイッチＳＷ１０，１２〜１４に入力された状態であり、切り替え状態ＩＶを示している。
【０１２４】
ＣＰＵ２１より切替信号ＩＶが出力されると、メイン基板２００のスイッチＳＷ１２がオンされ、電源１００の第１のＡＣ／ＤＣ変換器４１から出力されメイン基板２００に供給されるＤＣ３１Ｖが、ＤＣ／ＤＣ変換器４４に入力される。そして、メイン基板２００のスイッチＳＷ１０がオンされ、ＤＣ／ＤＣ変換器４４のＣＰＵ用電源から出力されるＤＣ１．２ＶがＣＰＵ２１のコア電源に入力される。
【０１２５】
この切り替え状態ＩＶでは、ＣＰＵ２１のコア電源に、メイン基板２００のＤＣ／ＤＣ変換器４４のＣＰＵ用電源から出力されるＤＣ１．２Ｖと、電源１００の第２のＡＣ／ＤＣ変換器４２から出力されるＤＣ１．２Ｖとの両方の電圧が入力される。
【０１２６】
そして、スイッチＳＷ１２が先にオンされてから、スイッチＳＷ１０，１３がオンされるので、ＤＣ／ＤＣ変換器４４の出力電圧が、その入力電圧より高くなることを抑制でき、ＤＣ／ＤＣ変換器４４の出力から入力に向かって流れる逆方向電流を防止することができる。
【０１２７】
次に、メイン基板２００のスイッチＳＷ１３がオンされ、ＤＣ／ＤＣ変換器４４から出力されるＤＣ５Ｖが、第１のレギュレータ４５に入力される。そして、スイッチＳＷ１４がオンされ、第１のレギュレータ４５から出力されるＤＣ３．３ＶがＣＰＵ２１のＩ／Ｏ電源と、常に動作させる機能部２２とに入力される。
【０１２８】
この切り替え状態ＩＶでは、ＣＰＵ２１のＩ／Ｏ電源と、常に動作させる機能部２２とに、メイン基板２００の第１のレギュレータ４５から出力されるＤＣ３．３Ｖと、電源１００の第３のＡＣ／ＤＣ変換器４３から出力されるＤＣ３．３Ｖとの両方の電圧が入力される。
【０１２９】
そして、スイッチＳＷ１３が先にオンされてから、スイッチＳＷ１４がオンされるので、第１のレギュレータ４５の出力電圧が、その入力電圧より高くなることを抑制でき、第１のレギュレータ４５の出力から入力に向かって流れる逆方向電流を防止することができる。
【０１３０】
ここで、図５のフローチャートの説明に戻る。次に、ＣＰＵ２１より切替信号ＩＩＩを出力し、メイン基板２００のスイッチＳＷ９をオフし、電源１００の第２のＡＣ／ＤＣ変換器４２から出力されメイン基板２００に供給されて、ＣＰＵ２１のコア電源に入力されるＤＣ１．２Ｖを遮断して、メイン基板２００のスイッチＳＷ１１をオフし、電源１００の第３のＡＣ／ＤＣ変換器４３から出力されメイン基板２００に供給されて、ＣＰＵ２１のＩ／Ｏ電源と常に動作させる機能部２２とに入力されるＤＣ３．３Ｖを遮断する（Ｓ２４）。
【０１３１】
ここで、図８を参照して、ＣＰＵ２１から出力される切替信号ＩＩＩにより制御されるスイッチＳＷ９，１１の動作について説明する。図８は、切り替え状態ＩＶ（図９参照）において、ＣＰＵ２１から出力される切替信号ＩＩＩがスイッチＳＷ９，１１に入力された状態であり、切り替え状態ＩＩＩを示している。
【０１３２】
ＣＰＵ２１より切替信号ＩＩＩが出力されると、メイン基板２００のスイッチＳＷ９がオフされ、電源１００の第２のＡＣ／ＤＣ変換器４２から出力されメイン基板２００に供給されて、ＣＰＵ２１のコア電源に入力されるＤＣ１．２Ｖが遮断される。
【０１３３】
次に、メイン基板２００のスイッチＳＷ１１がオフされ、電源１００の第３のＡＣ／ＤＣ変換器４３から出力されメイン基板２００に供給されて、ＣＰＵ２１のＩ／Ｏ電源と常に動作させる機能部２２とに入力されるＤＣ３．３Ｖが遮断される。
【０１３４】
切り替え状態ＩＶにおいて、ＣＰＵ２１のコア電源には、ＤＣ／ＤＣ変換器４４のＣＰＵ用電源から出力されるＤＣ１．２Ｖが入力されている。よって、スイッチＳＷ９がオフされても、ＣＰＵ２１のコア電源の入力には、動作に必要なＤＣ１．２Ｖが入力され続けるので、安定して動作させることができる。
【０１３５】
同様に、切り替え状態ＩＶにおいて、ＣＰＵ２１のＩ／Ｏ電源の入力と常に動作させる機能部２２とには、第１のレギュレータ４５から出力されるＤＣ３．３Ｖが入力されている。よって、スイッチＳＷ１１がオフされても、ＣＰＵ２１のＩ／Ｏ電源の入力と常に動作させる機能部２２とには、常に動作に必要なＤＣ３．３Ｖが入力されているので、安定して動作させることができる。
【０１３６】
ここで、図５のフローチャートの説明に戻る。次に、ＣＰＵ２１より切替信号ＩＩを出力し、電源１００のスイッチＳＷ５をオフし、第２のＡＣ／ＤＣ変換器４２から出力されメイン基板２００に供給されるＤＣ１．２Ｖを遮断して、そして、電源１００のスイッチＳＷ２をオフし、第２のＡＣ／ＤＣ変換器４２の入力に接続されるＡＣ電圧７０を遮断する（Ｓ２５）。
【０１３７】
（ＣＰＵ２１より出力された切替信号ＩＩにより）、電源１００のスイッチＳＷ６をオフし、第３のＡＣ／ＤＣ変換器４３から出力されメイン基板２００に供給されるＤＣ３．３Ｖを遮断して、そして、電源１００のスイッチＳＷ３をオフし、第３のＡＣ／ＤＣ変換器４３の入力に接続されるＡＣ電圧７０を遮断する（Ｓ２６）。
【０１３８】
ここで、図７を参照して、ＣＰＵ２１から出力される切替信号ＩＩにより制御されるスイッチＳＷ２，３，５，６の動作について説明する。図７は、切り替え状態ＩＩＩ（図８参照）において、ＣＰＵ２１から切替信号ＩＩがスイッチＳＷ２，３，５，６に入力された状態であり、切り替え状態ＩＩを示している。
【０１３９】
ＣＰＵ２１より切替信号ＩＩが出力されると、電源１００のスイッチＳＷ５がオフされ、第２のＡＣ／ＤＣ変換器４２から出力されメイン基板２００に供給されるＤＣ１．２Ｖが遮断される。そして、電源１００のスイッチＳＷ２がオフされ、第２のＡＣ／ＤＣ変換器４２の入力に接続されるＡＣ電圧７０が遮断される。
【０１４０】
スイッチＳＷ５が先にオフされてから、スイッチＳＷ２がオフされるので、第２のＡＣ／ＤＣ変換器４２の出力電圧が、その入力電圧より高くなることを抑制でき、第２のＡＣ／ＤＣ変換器４２の出力から入力に向かって流れる逆方向電流を防止することができる。
【０１４１】
そして、電源１００のスイッチＳＷ６がオフされ、第３のＡＣ／ＤＣ変換器４３から出力されメイン基板２００に供給されるＤＣ３．３Ｖが遮断される。そして、スイッチＳＷ３がオフされ、電源１００の第３のＡＣ／ＤＣ変換器４３の入力に接続されるＡＣ電圧７０が遮断される。
【０１４２】
スイッチＳＷ６が先にオフされてから、スイッチＳＷ３がオフされるので、第３のＡＣ／ＤＣ変換器４３の出力電圧が、その入力電圧より高くなることを抑制でき、第３のＡＣ／ＤＣ変換器４３の出力から入力に向かって流れる逆方向電流を防止することができる。
【０１４３】
ここで、図５のフローチャートの説明に戻る。次に、ＣＰＵ２１より切替信号Ｉを出力し、電源１００のスイッチＳＷ７とメイン基板２００のスイッチＳＷ８とをオンし、電源１００の第１のＡＣ／ＤＣ変換器４１から出力されるＤＣ３１Ｖを、２つの経路（第１の接続線４７と第２の接続線４８）を利用してメイン基板２００に供給する（Ｓ２７）。
【０１４４】
（ＣＰＵ２１より出力された切替信号Ｉにより）、メイン基板２００のスイッチＳＷ１５をオンし、電源１００の第１のＡＣ／ＤＣ変換器４１から出力されメイン基板２００に供給されるＤＣ３１Ｖを、各種モータに入力して、メイン基板２００のスイッチＳＷ１６をオンし、ＤＣ／ＤＣ変換器４４のヘッド用電源から出力される電圧（ＤＣ１５〜２８Ｖの何れか一つ）を印字ヘッドに入力する（Ｓ２８）。
【０１４５】
ＤＣ／ＤＣ変換器４４のヘッド用電源から出力される電圧（ＤＣ１５〜２８Ｖの何れか一つ）は、印字ヘッドの状態に応じてプリンタ制御部３１により決定される。そして、（ＣＰＵ２１により出力された切替信号Ｉにより）、メイン基板２００のその他の機能部２３を動作させる（Ｓ２９）。
【０１４６】
この動作モード移行処理（Ｓ６）により、ユーザは、ＭＦＰ２０を低消費モードから動作モードに移行させることができる。動作モード移行処理（Ｓ６）の終了後は、図３のＳ７の処理へ戻る。
【０１４７】
ここで、図６を参照して、ＣＰＵ２１から出力される切替信号Ｉにより制御されるスイッチＳＷ７，８，１５，１６の動作について説明する。図６は、切り替え状態ＩＩ（図７参照）において、ＣＰＵ２１から切替信号ＩがスイッチＳＷ７，８，１５，１６に入力された状態であり、切り替え状態Ｉを示している。
【０１４８】
ＣＰＵ２１より切替信号Ｉが出力されると、電源１００のスイッチＳＷ７，メイン基板２００のスイッチＳＷ８とがオンされ、電源１００の第１のＡＣ／ＤＣ変換器４１から出力されるＤＣ３１Ｖが、２つの経路（第１の接続線４７，４８）を介してメイン基板２００に供給される。
【０１４９】
電源１００の第１のＡＣ／ＤＣ変換器４１から出力されるＤＣ３１Ｖが、２つの接続線４７，４８を介してメイン基板２００に入力されるので、何れか一方の接続線が故障した場合でも、他方の接続線によりＤＣ３１Ｖをメイン基板２００に入力することができ、メイン基板２００の各機能部を安定して動作させることができる。
【０１５０】
そして、メイン基板２００のスイッチＳＷ１５がオンされ、電源１００の第１のＡＣ／ＤＣ変換器４１から出力されメイン基板２００に供給されるＤＣ３１Ｖが、各種モータ（図示しない）に入力される。また、メイン基板２００のスイッチＳＷ１６がオンされ、メイン基板２００のＤＣ／ＤＣ変換器４４のヘッド用電源から出力される電圧（ＤＣ１５〜２８Ｖの何れか一つ）が、印字ヘッド（図示しない）に入力される。
【０１５１】
そして、ＣＰＵ２１より切替信号Ｉが出力されると、メイン基板２００のその他の機能部２３のそれぞれの機能が動作し、ＭＦＰ２０は動作モード（図２参照）となる。
【０１５２】
ここで、図３のフローチャートに戻り、動作モード移行処理（Ｓ６）の終了後の処理について説明する。動作モード移行処理（Ｓ６）が終了後は、その他の処理を実行して（Ｓ７）、Ｓ１の処理に戻り、上述したＳ１〜Ｓ７の各処理を繰り返す。
【０１５３】
その他の処理とは、ユーザにより操作部２７の原稿読取キー２７ｄが押下された場合に実行される原稿を読み取る読取処理や、読み取った画像を補正する画像処理などの各種処理である。
【０１５４】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１５５】
例えば、上記実施形態では、電源１００にスイッチＳＷ１〜３を設けて、ＡＣ電圧７０を入力するか否かにより、各ＡＣ／ＤＣ変換器４１〜４３を動作させるか否かを制御しているが、各ＡＣ／ＤＣ変換器４１〜４３にＣＰＵからの切替信号を入力して、動作させるか否かを制御するように構成しても良い。
【０１５６】
また、上記実施形態では、電源１００とメイン基板２００とは、別々に構成されているが、メイン基板２００に電源１００を搭載しても良い。
【０１５７】
また、上記実施形態では、常に動作させる機能部２２、その他の機能部２３にそれぞれレギュレータを用意したが、各機能部に対して個別にレギュレータとスイッチＳＷとを用意しても良い。
【０１５８】
また、上記実施形態では、電源１００からメイン基板２００に供給する電圧の種類は３種類（ＤＣ３１Ｖ、ＤＣ１．２Ｖ、ＤＣ３．３Ｖ）であるが、メイン基板に搭載される機能部に合わせて、供給する電圧の種類を増減させても良い。
【図面の簡単な説明】
【０１５９】
【図１】本発明の実施形態におけるＭＦＰの外観構成を示した斜視図である。
【図２】ＭＦＰの電気的構成と、動作モードにおける電力の供給経路を概略的に示したブロック図である。
【図３】ＭＦＰのメイン処理を示すフローチャートである。
【図４】ＭＦＰの低消費モード移行処理を示すフローチャートである。
【図５】ＭＦＰの動作モード移行処理を示すフローチャートである。
【図６】切り替え状態Ｉにおける電力の供給経路を概略的に示したブロック図である。
【図７】切り替え状態ＩＩにおける電力の供給経路を概略的に示したブロック図である。
【図８】切り替え状態ＩＩＩにおける電力の供給経路を概略的に示したブロック図である。
【図９】切り替え状態ＩＶにおける電力の供給経路を概略的に示したブロック図である。
【図１０】切り替え状態Ｖにおける電力の供給経路を概略的に示したブロック図である。
【図１１】低消費モードにおける電力の供給経路を概略的に示したブロック図である。
【符号の説明】
【０１６０】
２０          ＭＦＰ（画像形成装置）
４１          第１のＡＣ／ＤＣ変換器（第１電源回路）
４２          第２のＡＣ／ＤＣ変換器（第２電源回路）
４４〜４６    ＤＣ／ＤＣ変換器、第１のレギュレータ（第３電源回路）
４７          第１の接続線（第１接続手段）
４８          第２の接続線（第２接続手段）
１００        電源
２００        基板
ＳＷ１，２    スイッチ（電源切替手段）
ＳＷ４，５    スイッチ（第３スイッチ）
ＳＷ８，９    スイッチ（第４スイッチ）
ＳＷ１０      スイッチ（第２スイッチ）
ＳＷ１２      スイッチ（第１スイッチ）
Ｓ１〜Ｓ６    モード切替手段
Ｓ１１〜１９、Ｓ２１〜Ｓ２９  制御手段
【図１】
2008271519.tif 000003
【図２】
2008271519.tif 000004
【図３】
2008271519.tif 000005
【図４】
2008271519.tif 000006
【図５】
2008271519.tif 000007
【図６】
2008271519.tif 000008
【図７】
2008271519.tif 000009
【図８】
2008271519.tif 000010
【図９】
2008271519.tif 000011
【図１０】
2008271519.tif 000012
【図１１】
2008271519.tif 000013